(57)【要約】      （修正有）【課題】インスタント食品用容器本体を内容器と外容器とで２重構造とし、不用意に外れてしまうことがなく着脱も容易に出来るインスタント食品用容器を提供する。【解決手段】外容器Ｂ１の４隅のコーナー部の開口縁近傍に設けられ、該外容器Ｂ１の側板１ａよりも外側に突出すると共に、下方に向かって拡開された外容器嵌合部４と、該外容器嵌合部４に対応して内容器Ｂ２の４隅のコーナー部の開口縁近傍に設ける。さらに、該内容器Ｂ２の側板５ａよりも外側に突出すると共に、下方に向かって拡開された内容器嵌合部６とを有し、外容器Ｂ１内に内容器Ｂ２を収容すると共に、外容器嵌合部４内に内容器嵌合部６を嵌入して係止する構成である。【選択図】図２
0003163129.tif 000002
【実用新案登録請求の範囲】
【請求項１】
角型容器からなる容器本体と、該容器本体の開口部に被蓋される蓋体とを有するインスタント食品用容器において、
前記容器本体が外容器と内容器との２重構造で構成され、
前記外容器の４隅のコーナー部の開口縁近傍に設けられ、該外容器の側板よりも外側に突出すると共に、下方に向かって拡開された外容器嵌合部と、
前記外容器嵌合部に対応して前記内容器の４隅のコーナー部の開口縁近傍に設けられ、該内容器の側板よりも外側に突出すると共に、下方に向かって拡開された内容器嵌合部と、
を有し、
前記外容器内に前記内容器を収容すると共に、前記外容器嵌合部内に前記内容器嵌合部を嵌入して係止することを特徴とするインスタント食品用容器。
【請求項２】
前記外容器嵌合部及び前記内容器嵌合部は、円錐状片と、該円錐状片に接続され、前記側板に連続される当接片とを有してなることを特徴とする請求項１に記載のインスタント食品用容器。
【請求項３】
前記内容器の側板に補強用縦リブが設けられたことを特徴とする請求項１または請求項２に記載のインスタント食品用容器。
【請求項４】
前記外容器の側板の下部に補強用縦リブが設けられたことを特徴とする請求項１〜３のいずれか１項に記載のインスタント食品用容器。
【請求項５】
前記外容器及び前記内容器の少なくとも何れかの底板に補強用リブが設けられたことを特徴とする請求項１〜４のいずれか１項に記載のインスタント食品用容器。
【考案の詳細な説明】
【技術分野】
【０００１】
本考案は、角型容器からなる容器本体と、該容器本体の開口部に被蓋される蓋体とを有するインスタント食品用容器に関するものである。
【背景技術】
【０００２】
従来、インスタント食品用容器本体を内容器と外容器とで２重構造としたものが特開２００４−３５０５３号公報（特許文献１）により開示されている。
【先行技術文献】
【特許文献】
【０００３】
【特許文献１】特開２００４−３５０５３号公報
【考案の概要】
【考案が解決しようとする課題】
【０００４】
しかしながら、前述の特許文献１の容器では、略同じ形状の内容器と外容器とを嵌合により装着しただけの構成であったため、不用意に簡単に外れてしまい易いという問題があった。
【０００５】
本考案は前記課題を解決するものであり、その目的とするところは、インスタント食品用容器本体を内容器と外容器とで２重構造とし、不用意に外れてしまうことがなく着脱も容易に出来るインスタント食品用容器を提供せんとするものである。
【課題を解決するための手段】
【０００６】
前記目的を達成するための本考案に係るインスタント食品用容器の第１の構成は、角型容器からなる容器本体と、該容器本体の開口部に被蓋される蓋体とを有するインスタント食品用容器において、前記容器本体が外容器と内容器との２重構造で構成され、前記外容器の４隅のコーナー部の開口縁近傍に設けられ、該外容器の側板よりも外側に突出すると共に、下方に向かって拡開された外容器嵌合部と、前記外容器嵌合部に対応して前記内容器の４隅のコーナー部の開口縁近傍に設けられ、該内容器の側板よりも外側に突出すると共に、下方に向かって拡開された内容器嵌合部とを有し、前記外容器内に前記内容器を収容すると共に、前記外容器嵌合部内に前記内容器嵌合部を嵌入して係止することを特徴とする。
【０００７】
また、本考案に係るインスタント食品用容器の第２の構成は、前記第１の構成において、前記外容器嵌合部及び前記内容器嵌合部は、円錐状片と、該円錐状片に接続され、前記側板に連続される当接片とを有してなることを特徴とする。
【０００８】
また、本考案に係るインスタント食品用容器の第３の構成は、前記第１、第２の構成において、前記内容器の側板に補強用縦リブが設けられたことを特徴とする。
【０００９】
また、本考案に係るインスタント食品用容器の第４の構成は、前記第１〜第３の構成において、前記外容器の側板の下部に補強用縦リブが設けられたことを特徴とする。
【００１０】
また、本考案に係るインスタント食品用容器の第５の構成は、前記第１〜第４の構成において、前記外容器及び前記内容器の少なくとも何れかの底板に補強用リブが設けられたことを特徴とする。
【考案の効果】
【００１１】
本考案に係るインスタント食品用容器の第１の構成によれば、外容器内に内容器を収容すると共に、外容器嵌合部内に内容器嵌合部を嵌入して係止することが出来、内容器嵌合部を外容器嵌合部内から脱離することで内容器を外容器から取り外すことが出来る。外容器嵌合部及び内容器嵌合部を外容器及び内容器の４隅のコーナー部の開口縁近傍に設けたことで、内容器を外容器内に安定して係止することが出来る。
【００１２】
また、本考案に係るインスタント食品用容器の第２の構成によれば、外容器嵌合部及び内容器嵌合部を円錐状片と該円錐状片に接続され、側板に連続される当接片とを有して構成したことで、外容器嵌合部内に内容器嵌合部を嵌入して係止したり、内容器嵌合部を外容器嵌合部内から脱離する操作が円錐状面を介してワンタッチで容易に出来る。
【００１３】
また、本考案に係るインスタント食品用容器の第３の構成によれば、内容器の側板に補強用縦リブを設けたことで内容器の側板の剛性が確保出来、内容器の底板の外面が外容器の底板の内面に当接し、外容器嵌合部内に内容器嵌合部を嵌入して係止した状態で、内容器の側板の剛性により内容器を外容器内に安定して係止することが出来る。また、内容器の側板に設けた補強用縦リブにより内容器と外容器との間に空気層を設けることが出来、その空気層からなる断熱層により熱湯を注いだ内容器内の熱が外容器に伝わり難く、外容器を持って湯切りしたり、食したりすることが出来る。
【００１４】
また、本考案に係るインスタント食品用容器の第４の構成によれば、外容器の側板の下部に補強用縦リブを設けたことで、外容器に強度を持たせることが出来、該補強用縦リブにより内容器と外容器との間に空気層を設けることが出来、その空気層からなる断熱層により熱湯を注いだ内容器内の熱が外容器に伝わり難く、外容器を持って湯切りしたり、食したりすることが出来る。また、デザイン性にも優れる。
【００１５】
また、本考案に係るインスタント食品用容器の第５の構成によれば、外容器及び内容器の少なくとも何れかの底板に補強用リブを設けたことで、外容器や内容器の底板の補強が出来る。また、それらの補強用リブにより内容器と外容器との間に空気層を設けることが出来、その空気層からなる断熱層により熱湯を注いだ内容器内の熱が外容器に伝わり難く、外容器を持って湯切りしたり、食したりすることが出来る。
【図面の簡単な説明】
【００１６】
【図１】本考案に係るインスタント食品用容器の構成を示す斜視図である。
【図２】容器本体が外容器と内容器との２重構造で構成された様子を示す分解斜視図である。
【図３】図１のＣ−Ｃ断面図であり、外容器嵌合部内に内容器嵌合部を嵌入して係止した状態を示す断面説明図である。
【図４】（ａ）は外容器嵌合部の構成を示す部分斜視図、（ｂ）は内容器嵌合部の構成を示す部分斜視図である。
【図５】（ａ）は外容器の側面図、（ｂ）は（ａ）のＤ−Ｄ断面図である。
【考案を実施するための形態】
【００１７】
図により本考案に係るインスタント食品用容器の一実施形態を具体的に説明する。図１〜図５において、本実施形態のインスタント食品用容器は、インスタント焼きそば用の容器であって、平面形状が長方形の角型容器からなる容器本体Ｂと、該容器本体Ｂの開口部に被蓋される蓋体Ａとを有する。図２に示すように、容器本体Ｂは互いに略同じ形状を有する外容器Ｂ１と内容器Ｂ２との２重構造で構成される。
【００１８】
容器本体Ｂを構成する外容器Ｂ１及び内容器Ｂ２は、それぞれ容器としての機能を発揮するための側板１ａ，５ａと、該側板１ａ，５ａの上端部分である、容器本体Ｂの開口部の周縁を構成するフランジ１ｂ，５ｂと、該フランジ１ｂ，５ｂのさらに外周から下向きに形成された垂下片１ｃ，５ｃとを有しており、フランジ１ｂ，５ｂ及び垂下片１ｃ，５ｃにより容器本体Ｂの剛性を高める構造となっている。
【００１９】
インスタント焼きそば等のインスタント食品を収納する容器は、容器内に１００℃近い熱湯を注入するためと、かつ熱湯で調理したインスタント食品を食するに当っては、容器を手で持つので、本実施形態では容器本体Ｂを２重構造とし、外容器Ｂ１の中に、略同一形状の内容器Ｂ２が嵌入され、容器本体Ｂは二重壁で構成されている。乾麺などの食品はこの内容器Ｂ２内に収納されている。
【００２０】
蓋体Ａは図１〜図３に示す如く、所定の凹凸が形成された天板２ａと、該天板２ａの周りを取り囲むように下方向に垂下された垂下縁２ｂとより形成されている。蓋体Ａを容器本体Ｂに被蓋した際には、蓋体Ａの天板２ａの周辺部が容器本体Ｂのフランジ５ｂ上に載置され、かつ蓋体Ａの垂下縁２ｂが容器本体Ｂの垂下片１ｃ，５ｃに被覆されて蓋体Ａが容器本体Ｂに嵌合されるように構成されている。
【００２１】
蓋体Ａの天板２ａの一方のコーナー部には、図１及び図３に示す３個の湯出口用タブ３が天板２ａの下方斜めに容器本体Ｂ側に向って突出するように設けられている。湯出口用タブ３は天板２ａの一部を切り欠いて３方が打抜かれて矩形状に形成されており、その根本部に該湯出口用タブ３の開閉方向と直行する方向に設けられた溝部３ａを支点として先端部が下方に斜めに突出するように構成されている。
【００２２】
図２及び図４（ａ）に示すように、外容器Ｂ１の４隅のコーナー部の開口縁近傍には、該外容器Ｂ１の側板１ａよりも外側に突出すると共に、下方に向かって拡開された円錐状片１ｄと、該円錐状片１ｄに接続され、側板１ａに連続される当接片１ｅからなる外容器嵌合部４が設けられている。
【００２３】
また、外容器嵌合部４に対応して内容器Ｂ２の４隅のコーナー部の開口縁近傍には、図２及び図４（ｂ）に示すように、該内容器Ｂ２の側板５ａよりも外側に突出すると共に、下方に向かって拡開された円錐状片５ｄと、該円錐状片５ｄに接続され、側板５ａに連続される当接片５ｅからなる内容器嵌合部６が設けられている。そして、図３に示すように、外容器Ｂ１内に内容器Ｂ２を収容すると共に、外容器嵌合部４内に内容器嵌合部６を嵌入して係止することが出来る。本実施形態では、外容器Ｂ１の円錐状片１ｄ及び内容器Ｂ２の円錐状片５ｄは、それぞれ円錐台形状の１／４周に相当する形状で構成されている。
【００２４】
図２に示すように、内容器Ｂ２の側板５ａには所定ピッチで複数の凹凸形状の補強用縦リブ５ｆが設けられている。また、図２及び図５に示すように、外容器Ｂ１の側板１ａの下部には所定ピッチで複数の凹凸形状の補強用縦リブ１ｆが設けられている。また、外容器Ｂ１及び内容器Ｂ２のそれぞれの底板１ｇ，５ｇには補強用リブ１ｈ，５ｈが設けられている。尚、図２に示すように、内容器Ｂ２の側板５ａの補強用縦リブ５ｆと、底板５ｇの補強用リブ５ｈは連続されている。
【００２５】
上記構成によれば、外容器Ｂ１内に内容器Ｂ２を収容すると共に、外容器嵌合部４内に内容器嵌合部６を嵌入して係止することが出来、内容器嵌合部６を外容器嵌合部４内から脱離することで内容器Ｂ２を外容器Ｂ１から取り外すことが出来る。外容器嵌合部４及び内容器嵌合部６を外容器Ｂ１及び内容器Ｂ２の４隅のコーナー部の開口縁近傍に設けたことで、内容器Ｂ２を外容器Ｂ１内に安定して係止することが出来る。
【００２６】
また、外容器嵌合部４及び内容器嵌合部６を、それぞれ円錐状片１ｄ，５ｄと、該円錐状片１ｄ，５ｄに接続され、それぞれの側板１ａ，５ａに連続される当接片１ｅ，５ｅを有して構成したことで、外容器嵌合部４内に内容器嵌合部６を嵌入して係止したり、内容器嵌合部６を外容器嵌合部４内から脱離する操作が円錐状片１ｄ，５ｄの円錐状面を介してワンタッチで容易に出来る。
【００２７】
また、内容器Ｂ２の側板５ａに所定ピッチで複数の補強用縦リブ５ｆを設けたことで内容器Ｂ２の側板５ａの剛性が確保出来、該内容器Ｂ２の底板５ｇの外面が外容器Ｂ１の底板１ｇの内面に当接し、外容器嵌合部４内に内容器嵌合部６を嵌入して係止した状態で、内容器Ｂ２の側板５ａの剛性により内容器Ｂ２を外容器Ｂ１内に安定して係止することが出来る。また、内容器Ｂ２の側板５ａに設けた補強用縦リブ５ｆにより内容器Ｂ２と外容器Ｂ１との間に空気層を設けることが出来、その空気層からなる断熱層により熱湯を注いだ内容器Ｂ２内の熱が外容器Ｂ１に伝わり難く、外容器Ｂ１を持って湯切りしたり、食したりすることが出来る。
【００２８】
また、外容器Ｂ１の側板１ａの下部に補強用縦リブ１ｆを設けたことで、外容器Ｂ１に強度を持たせることが出来、該補強用縦リブ１ｆにより内容器Ｂ２と外容器Ｂ１との間に空気層を設けることが出来、その空気層からなる断熱層により熱湯を注いだ内容器Ｂ２内の熱が外容器Ｂ１に伝わり難く、外容器Ｂ１を持って湯切りしたり、食したりすることが出来る。また、デザイン性にも優れる。
【００２９】
また、外容器Ｂ１及び内容器Ｂ２の少なくとも何れかの底板１ｇ，５ｇに補強用リブ１ｈ，５ｈを設けたことで、外容器Ｂ１や内容器Ｂ２の底板１ｇ，５ｇの補強が出来る。また、それらの補強用リブ１ｈ，５ｈにより内容器Ｂ２と外容器Ｂ１との間に空気層を設けることが出来、その空気層からなる断熱層により熱湯を注いだ内容器Ｂ２内の熱が外容器Ｂ１に伝わり難く、外容器Ｂ１を持って湯切りしたり、食したりすることが出来る。
【産業上の利用可能性】
【００３０】
本考案の活用例として、角型容器からなる容器本体と、該容器本体の開口部に被蓋される蓋体とを有するインスタント食品用容器に適用出来る。
【符号の説明】
【００３１】
Ａ    …蓋体
Ｂ    …容器本体
Ｂ１  …外容器
Ｂ２  …内容器
１ａ  …側板
１ｂ …フランジ
１ｃ …垂下片
１ｄ  …円錐状片
１ｅ  …当接片
１ｆ  …補強用縦リブ
１ｇ …底板
１ｈ…補強用リブ
２ａ  …天板
２ｂ  …垂下縁
３    …湯出口用タブ
３ａ  …溝部
４    …外容器嵌合部
５ａ  …側板
５ｂ …フランジ
５ｃ …垂下片
５ｄ  …円錐状片
５ｅ  …水平片
５ｆ  …補強用縦リブ
５ｇ …底板
５ｈ …補強用リブ
６    …内容器嵌合部
【図１】
0003163129.tif 000003
【図２】
0003163129.tif 000004
【図３】
0003163129.tif 000005
【図４】
0003163129.tif 000006
【図５】
0003163129.tif 000007